(57)【要約】【課題】使用済みブランケット洗浄布を表裏逆転して巻き取ることにより、再使用を可能とする構造簡素で安価な巻取り再生装置を提供する。【解決手段】使用済みブランケット洗浄布Ｗを巻取り回収した巻取芯棒１０を回転支持する洗浄布繰出部１と、洗浄布繰出部１から繰り出されるブランケット洗浄布Ｗを巻き取る巻取コア３０を回転支持する洗浄布巻取部２と、巻き取られるブランケット洗浄布Ｗにテンションを付与するテンション付与部３と、これら構成部１〜３が装着配置される支持ベース６とを備えてなり、テンション付与部３が支持ベース６上に自由回転可能に回転支持されるテンションローラ４５を備えるとともに、洗浄布繰出部１および洗浄布巻取部２の回転駆動源が共用の単一駆動モータ２０とされている。【選択図】    図２
2007301809.tif 000002
【特許請求の範囲】
【請求項１】
オフセット印刷機のブランケット胴表面の洗浄に用いた使用済みのブランケット洗浄布を再使用可能なように巻き取るための巻取り再生装置であって、
使用済みブランケット洗浄布を巻取り回収した巻取芯棒を、取外し可能に回転支持する洗浄布繰出手段と、
この洗浄布繰出手段から繰出される前記ブランケット洗浄布を巻き取る巻取コアを、取外し可能に回転支持する洗浄布巻取手段と、
これら洗浄布繰出手段および洗浄布巻取手段の間に設けられて、洗浄布巻取手段に巻き取られる前記ブランケット洗浄布に、所定のテンションを付与するテンション付与手段と、
前記洗浄布繰出手段、洗浄布巻取手段およびテンション付与手段が装着配置される支持ベースとを備えてなり、
前記洗浄布繰出手段の巻取り芯棒から繰り出される前記ブランケット洗浄布が、その繰出し表面を巻取り裏面となるようにして、前記洗浄布巻取手段の巻取コアに巻き取られる構成とされ、
前記テンション付与手段が前記支持ベース上に自由回転可能に回転支持されるテンションローラを備えるとともに、前記洗浄布繰出手段および洗浄布巻取手段の回転駆動源が共用の単一駆動モータとされている
ことを特徴とする印刷機用ブランケット洗浄布の巻取り再生装置。
【請求項２】
前記洗浄布繰出手段は前記巻取芯棒の回転速度を制御するブレーキ手段を備え、
前記単一駆動モータの回転駆動により、前記洗浄布巻取手段が巻取り回転するとともに、この洗浄布巻取手段に巻き取られる前記ブランケット洗浄布の引張力により、前記洗浄布繰出手段が繰出し回転される構成とされている
ことを特徴とする請求項１に記載の印刷機用ブランケット洗浄布の巻取り再生装置。
【請求項３】
前記ブレーキ手段は、前記洗浄布繰出手段の回転軸に取付け固定された摩擦プーリと、装置固定側に両端を接続された摩擦ベルトとを備え、
この摩擦ベルトが前記摩擦プーリに所定のテンションをもって摩擦摺動可能に巻き架けられて、前記回転軸が前記摩擦ベルトと摩擦プーリとの摺動摩擦による摺動力に抗して制動回転する構成とされている
ことを特徴とする請求項２に記載の印刷機用ブランケット洗浄布の巻取り再生装置。
【請求項４】
前記摩擦ベルトの一端がターンバックルを介して前記装置固定側に接続されなり、前記ターンバックルの回転操作により、前記摩擦ベルトのテンションが調節可能とされている
ことを特徴とする請求項２に記載の印刷機用ブランケット洗浄布の巻取り再生装置。
【請求項５】
前記洗浄布繰出手段および洗浄布巻取手段は、処理すべき前記ブランケット洗浄布の幅寸法に対応して、巻取芯棒および巻取コアの回転支持幅を調節可能な支持幅調節手段を備える
ことを特徴とする請求項１から４のいずれか一つに記載の印刷機用ブランケット洗浄布の巻取り再生装置。
【請求項６】
前記洗浄布繰出手段と洗浄布巻取手段の間に、前記洗浄布繰出手段の巻取り芯棒から前記洗浄布巻取手段の巻取コアに巻き取られる前記ブランケット洗浄布を乾燥処理する乾燥エア噴射手段が設けられ、
この乾燥エア噴射手段は、前記巻取り芯棒および巻取コアと平行に配置されたエアシャワーパイプと、このエアシャワーパイプに乾燥用エアを供給する空気源とを備え、
前記エアシャワーパイプの噴射開口は、前記ブランケット洗浄布の下側面の全幅に乾燥用エアを噴射供給する噴射スリットの形態とされている
ことを特徴とする請求項１から５のいずれか一つに記載の印刷機用ブランケット洗浄布の巻取り再生装置。
【請求項７】
前記テンションローラは、前記洗浄布繰出手段と洗浄布巻取手段の間において、前記巻取り芯棒および巻取コアを含む平面に対して上下方向へ変位して配置されるとともに、これら巻取り芯棒および巻取コアと平行にかつ自由回転可能に支持されてなる
ことを特徴とする請求項１から６のいずれか一つに記載の印刷機用ブランケット洗浄布の巻取り再生装置。
【請求項８】
前記テンションローラの円筒外周面に螺旋溝が形成されて、前記洗浄布繰出手段の巻取り芯棒から前記洗浄布巻取手段の巻取コアに巻き取られる前記ブランケット洗浄布は、前記テンションローラにより所定のテンションを付与されながら、前記螺旋溝の回転案内作用により、その幅方向外側へ引き伸ばされて平坦にされる
ことを特徴とする請求項７に記載の印刷機用ブランケット洗浄布の巻取り再生装置。
【請求項９】
前記洗浄布繰出手段および洗浄布巻取手段は、前記巻取芯棒および巻取コアの両端を嵌合支持する支持ソケットを備え、
この支持ソケットは、複数種類の巻取芯棒および巻取コアの端部形状に対応して嵌合可能な嵌合部を備えている
ことを特徴とする請求項１から８のいずれか一つに記載の印刷機用ブランケット洗浄布の巻取り再生装置。
【請求項１０】
前記支持ベースは、前記洗浄布繰出手段、洗浄布巻取手段およびテンション付与手段の相対的位置を固定的に保持可能な単一の平板状金属プレートから形成されている
ことを特徴とする請求項１から９のいずれか一つに記載の印刷機用ブランケット洗浄布の巻取り再生装置。
【請求項１１】
骨組み構造とされた装置架台の天部に、前記平板状金属プレートからなる支持ベースが張設状に固定されて、装置本体が構成されている
ことを特徴とする請求項１０に記載の印刷機用ブランケット洗浄布の巻取り再生装置。
【請求項１２】
前記洗浄布繰出手段と洗浄布巻取手段の間に、前記洗浄布繰出手段の巻取り芯棒から前記洗浄布巻取手段の巻取コアに巻き取られる前記ブランケット洗浄布の少なくとも使用済み面上の堆積物を掻き落とすブラシ手段が設けられ、
このブラシ手段は、前記ブランケット洗浄布の使用済み面上に回転接触する回転ブラシと、この回転ブラシを回転駆動する回転駆動源とを備え、
この回転駆動源は、前記洗浄布繰出手段および洗浄布巻取手段を回転駆動する前記駆動モータが共用されている
ことを特徴とする請求項１から１１のいずれか一つに記載の印刷機用ブランケット洗浄布の巻取り再生装置。
【発明の詳細な説明】
【技術分野】
【０００１】
本発明は印刷機用ブランケット洗浄布の巻取り再生装置に関し、さらに詳細には、オフセット印刷において、使用済みのブランケット洗浄布を再使用可能なように巻き取るための巻取り再生技術に関する。
【背景技術】
【０００２】
現在のカラー印刷の主流となっているオフセット印刷は、版胴表面に水になじまず油性インクになじむ画線部（印刷される部分）と、水にないじみやすく油性インクのつかない非画線部からなる版面を形成するとともに、この版面を水で濡らしてから油性インクを塗り、この版面上の上記画線部のインク画像（正画像）を、油性インクになじみやすいゴム製のブランケット胴表面に一旦転写（反転画像）させてから、このブランケット胴表面を印刷紙に押し付けて印刷（正画像）する印刷方法である。
【０００３】
ところで、このようなオフセット印刷を行うオフセット印刷機においては、長時間にわたる印刷作業により、上記ブランケット胴表面にインクや印刷紙の紙粉等が堆積して、鮮明な画線が得られなくなるため、このブランケット胴表面上の堆積物を洗浄（ブランケット洗浄）する必要がある。また、このようなブランケット洗浄は、印刷する内容を変える際にも行われる。
【０００４】
ブランケット洗浄は、オフセット印刷機に組み込まれた洗浄ユニットにより行われる。この洗浄ユニットは、紙管にブランケット洗浄布が巻装されてなる洗浄布ロールと、使用済みのブランケット洗浄布を巻き取り回収する金属製の巻取芯棒とが所定間隔をもって平行にかつ取外し可能に回転支持されるとともに、これら洗浄布ロールと巻取芯棒との間に、上記ブランケット洗浄布に洗浄液を噴射供給する洗浄液供給手段とブランケット洗浄布を上記ブランケット胴表面に対して押圧する押圧手段が設けられてなる。また、上記ブランケット洗浄布としては不織布が用いられている。
【０００５】
そして、上記洗浄布ロールから繰り出されるブランケット洗浄布は、上記洗浄液供給手段により洗浄液を噴射されながら、上記押圧手段により、回転するブランケット胴表面に押し付けられて接触し、このブランケット胴表面の堆積物を拭き取りながらブランケット胴表面を洗浄する。また、ブランケット表面の洗浄を終えて使用済みとなったブランケット洗浄布は、上記巻取芯棒に巻き取られて回収される。
【０００６】
上記洗浄布ロールのブランケット洗浄布がすべて使用済みとなって、上記巻取芯棒に巻取り回収されてしまうと、ブランケット洗浄布がすべて繰り出されてしまった上記洗浄布ロールの紙管と、使用済みブランケット洗浄布を巻取り回収した上記巻取芯棒は、それぞれ上記洗浄ユニットから取り外される。そして、上記紙管は紙製で安価なため、そのまま廃棄処分されるが、上記巻取芯棒は金属製で高価なため、巻取り回収された使用済みブランケット洗浄布だけが巻き戻されて廃棄処分されるとともに、巻取芯棒は再度上記洗浄ユニットに装着されて、繰返し使用される。
【０００７】
しかしながら、このような従来のブランケット洗浄では以下に列挙するような種々の問題があり、その改良が強く要望されていた。
【０００８】
（１）上述したように、ブランケット洗浄布は一回の使用で廃棄処分されるところ、その構成材料である不織布自体が比較的高くて、材料コストひいては商品である洗浄布ロールも比較的高価であることから、ランニングコストが高くて、非常に不経済であった。
【０００９】
（２）使用済みブランケット洗浄布は、通常の一般ごみとしては廃棄処分できず、産業廃棄物として有料廃棄されるものであり、この点からも不経済であった。
【００１０】
つまり、使用済みブランケット洗浄布は、産業廃棄物として焼却処分する必要があり、有料で廃棄されることになる。しかも、焼却処分するためには、ブランケット洗浄布を所定の形状寸法以下の大きさに裁断する必要があり、これがため、そのまま焼却処分できる産業廃棄物よりもコスト高となる問題があった。
【００１１】
（３）上述したように、使用済みブランケット洗浄布を巻取り回収した巻取芯棒は、繰返し使用するために、一旦巻取り回収された使用済みブランケット洗浄布を再び巻き戻すことになるが、この巻き戻し作業は、従来、人手により手作業で行われているところ、ブランケット洗浄布の巻取り長さは１５ｍ以上と長いため、作業に非常な手間がかかるとともに、巻き戻した使用済みのブランケット洗浄布は非常に嵩張って、取り扱いが不便であった。
【００１２】
この点に関して、特許文献１に開示されるような洗浄布クリーニング装置が開発されている。
【００１３】
この洗浄布クリーニング装置は、使用済みブランケット洗浄布の表裏面を洗浄して再使用可能とするもので、図１３に示すように、装置本体ａに、使用済みブランケットＷを繰出す繰出部ｂと、この使用済みブランケットＷを巻き取る巻取部ｃとが所定の距離を隔てて設けられている。上記繰出部ｂには、巻取芯棒に使用済みのブランケット洗浄布Ｗが巻取り回収されてなる使用済み洗浄布ロールｄが取外し可能に回転支持され、この洗浄布ロールｄの使用済みブランケット洗浄布Ｗの先端部分が、ガイドローラｅ、ｅを介して上記巻取部ｃへ案内されるとともに、この巻取部ｃの巻取コアｆにテープにより接続固定される。
【００１４】
また、上記繰出部ｂと巻取部ｃとの間には、使用済みブランケット洗浄布Ｗの表裏面に付着堆積したインク等の堆積物を掻き出し除去する上下一対の回転ブラシｇ、ｇが設けられるとともに、これら両回転ブラシｇ、ｇの前後位置（つまりブランケット洗浄布の巻取方向の上流側と下流側）に、エアーを噴射供給するエアーナイフｈと、回転ブラシｇ、ｇにより掻き出された堆積物を吸引するバキュームダクトｉがそれぞれ開口配置され、さらに、このバキュームダクトｉの下流側に、使用済みブランケット洗浄布Ｗを上下方向に振動するバイブレータｊが設けられている。
【００１５】
そして、洗浄布クリーニング装置の起動により、繰出部ｂおよび巻取部ｃが作動して、使用済みブランケット洗浄布Ｗを上記繰出部ｂから巻取部ｃに巻き取り始め、これと同時に、上記上下回転ブラシｇ、ｇ、エアーナイフｈ、バキュームダクトｉおよびバイブレータｊが作動する。これにより、上記繰出部ｂから繰り出される使用済みブランケット洗浄布Ｗは、上下回転ブラシｇ、ｇ、エアーナイフｈの噴射エアーおよびバイブレータｊによって、その表裏両面の堆積物が掻き取り除去されるとともに吹き飛ばされて、この吹き飛ばされた堆積物が、上記バキュームダクトｉにより吸引されて捕捉回収される。このようにして洗浄処理されて、上記巻取部ｃの巻取コアｆに巻き取られたブランケット洗浄布Ｗは、再びオフセット印刷機の洗浄ユニットに取り付けられて、再使用されることになる。
【００１６】
ところが、この洗浄布クリーニング装置の構成部である上記繰出部ｂ、巻取部ｃ、回転ブラシｇ、エアーナイフｈ、バキュームダクトｉおよびバイブレータｊは、それぞれ別個独立した駆動源が採用されて、構成が複雑かつ大型であるとともに、装置コストが非常に高額であり、しかも、再使用といっても、ブランケット洗浄布Ｗの素材の性質上、２、３回の繰返し使用が可能なだけであり、再使用の目的であるランニングコストの低減化という観点からはほとんど効果が望めないというのが実情であった。
【特許文献１】特開２００４−３５１６１５号公報
【発明の開示】
【発明が解決しようとする課題】
【００１７】
本発明はかかる従来の問題点に鑑みてなされたものであって、その目的とするところは、使用済みブランケット洗浄布を表裏逆転して巻き取ることにより、再使用を可能とする構造簡素で安価な印刷機用ブランケット洗浄布の巻取り再生装置を提供することにある。
【課題を解決するための手段】
【００１８】
この目的を達成するため、本発明の巻取り再生装置は、オフセット印刷機のブランケット胴表面の洗浄に用いた使用済みのブランケット洗浄布を再使用可能なように巻き取るための巻取り再生装置であって、使用済みブランケット洗浄布を巻取り回収した巻取芯棒を、取外し可能に回転支持する洗浄布繰出手段と、この洗浄布繰出手段から繰出される上記ブランケット洗浄布を巻き取る巻取コアを、取外し可能に回転支持する洗浄布巻取手段と、これら洗浄布繰出手段および洗浄布巻取手段の間に設けられて、洗浄布巻取手段に巻き取られる上記ブランケット洗浄布に、所定のテンションを付与するテンション付与手段と、上記洗浄布繰出手段、洗浄布巻取手段およびテンション付与手段が装着配置される支持ベースとを備えてなり、上記洗浄布繰出手段の巻取り芯棒から繰り出される上記ブランケット洗浄布が、その繰出し表面を巻取り裏面となるようにして、上記洗浄布巻取手段の巻取コアに巻き取られる構成とされ、上記テンション付与手段が上記支持ベース上に自由回転可能に回転支持されるテンションローラを備えるとともに、上記洗浄布繰出手段および洗浄布巻取手段の回転駆動源が共用の単一駆動モータとされていることを特徴とする。
【００１９】
好適な実施態様として、以下の構成が採用される。
（１）上記洗浄布繰出手段は上記巻取芯棒の回転速度を制御するブレーキ手段を備え、上記単一駆動モータの回転駆動により、上記洗浄布巻取手段が巻取り回転するとともに、この洗浄布巻取手段に巻き取られる上記ブランケット洗浄布の引張力により、上記洗浄布繰出手段が繰出し回転される構成とされる。
【００２０】
（２）上記ブレーキ手段は、上記洗浄布繰出手段の回転軸に取付け固定された摩擦プーリと、装置固定側に両端を接続された摩擦ベルトとを備え、この摩擦ベルトが上記摩擦プーリに所定のテンションをもって摩擦摺動可能に巻き架けられて、上記回転軸が上記摩擦ベルトと摩擦プーリとの摺動摩擦による摺動力に抗して制動回転する構成とされる。
【００２１】
（３）上記摩擦ベルトの一端がターンバックルを介して上記装置固定側に接続されなり、上記ターンバックルの回転操作により、上記摩擦ベルトのテンションが調節可能とされる。
【００２２】
（４）上記洗浄布繰出手段および洗浄布巻取手段は、処理すべき上記ブランケット洗浄布の幅寸法に対応して、巻取芯棒および巻取コアの回転支持幅を調節可能な支持幅調節手段を備える。
【００２３】
（５）上記洗浄布繰出手段と洗浄布巻取手段の間に、上記洗浄布繰出手段の巻取り芯棒から上記洗浄布巻取手段の巻取コアに巻き取られる上記ブランケット洗浄布を乾燥処理する乾燥エア噴射手段が設けられ、この乾燥エア噴射手段は、上記巻取り芯棒および巻取コアと平行に配置されたエアシャワーパイプと、このエアシャワーパイプに乾燥用エアを供給する空気源とを備え、上記エアシャワーパイプの噴射開口は、上記ブランケット洗浄布の下側面の全幅に乾燥用エアを噴射供給する噴射スリットの形態とされる。
【００２４】
（６）上記テンションローラは、上記洗浄布繰出手段と洗浄布巻取手段の間において、上記巻取り芯棒および巻取コアを含む平面に対して上下方向へ変位して配置されるとともに、これら巻取り芯棒および巻取コアと平行にかつ自由回転可能に支持されてなる。
【００２５】
（７）上記テンションローラの円筒外周面に螺旋溝が形成されて、上記洗浄布繰出手段の巻取り芯棒から上記洗浄布巻取手段の巻取コアに巻き取られる上記ブランケット洗浄布は、上記テンションローラにより所定のテンションを付与されながら、上記螺旋溝の回転案内作用により、その幅方向外側へ引き伸ばされて平坦にされる。
【００２６】
（８）上記洗浄布繰出手段および洗浄布巻取手段は、上記巻取芯棒および巻取コアの両端を嵌合支持する支持ソケットを備え、この支持ソケットは、複数種類の巻取芯棒および巻取コアの両端部形状に対応して嵌合可能な嵌合部を備える。
【００２７】
（９）上記支持ベースは、上記洗浄布繰出手段、洗浄布巻取手段およびテンション付与手段の相対的位置を固定的に保持可能な単一の平板状金属プレートから形成される。
【００２８】
（１０）骨組み構造とされた装置架台の天部に、上記平板状金属プレートからなる支持ベースが張設状に固定されて、装置本体が構成される。
【００２９】
（１１）上記洗浄布繰出手段と洗浄布巻取手段の間に、上記洗浄布繰出手段の巻取り芯棒から上記洗浄布巻取手段の巻取コアに巻き取られる上記ブランケット洗浄布の少なくとも使用済み面上の堆積物を掻き落とすブラシ手段が設けられ、このブラシ手段は、上記ブランケット洗浄布の使用済み面上に回転接触する回転ブラシと、この回転ブラシを回転駆動する回転駆動源とを備え、この回転駆動源は、上記洗浄布繰出手段および洗浄布巻取手段を回転駆動する上記駆動モータが共用される。
【発明の効果】
【００３０】
本発明によれば、使用済みブランケット洗浄布を巻取り回収した巻取芯棒を、取外し可能に回転支持する洗浄布繰出手段と、この洗浄布繰出手段から繰出される上記ブランケット洗浄布を巻き取る巻取コアを、取外し可能に回転支持する洗浄布巻取手段と、これら洗浄布繰出手段および洗浄布巻取手段の間に設けられて、洗浄布巻取手段に巻き取られる上記ブランケット洗浄布に、所定のテンションを付与するテンション付与手段と、上記洗浄布繰出手段、洗浄布巻取手段およびテンション付与手段が装着配置される支持ベースとを備えてなり、上記洗浄布繰出手段の巻取り芯棒から繰り出される上記ブランケット洗浄布が、その繰出し表面を巻取り裏面となるようにして、上記洗浄布巻取手段の巻取コアに巻き取られる構成とされ、上記テンション付与手段が上記支持ベース上に自由回転可能に回転支持されるテンションローラを備えるとともに、上記洗浄布繰出手段および洗浄布巻取手段の回転駆動源が共用の単一駆動モータとされているから、従来のオフセット印刷においては一回の使用で廃棄処分されていた使用済みブランケット洗浄布を、表裏逆転して巻き取ることで、その再使用が可能となった。
【００３１】
これにより、材料コストひいては商品コストの高いブランケット洗浄布について、表裏両面の少なくとも２回の使用が可能となり、ランニングコストの低減化を有効に図ることができる。
【００３２】
また、上記テンション付与手段が上記支持ベース上に自由回転可能に回転支持されるテンションローラを備えて、駆動系の上記洗浄布繰出手段および洗浄布巻取手段と独立した非駆動系とされ、しかも、上記洗浄布繰出手段および洗浄布巻取手段の回転駆動源も共用の単一駆動モータとされた単一駆動源とされていることにより、装置構成が小型かつ簡素で、装置コストの大幅な低減化が図ることができる。
【００３３】
そして、これらランニングコストの低減効果と装置コストの大幅な低減効果との相乗効果により、従来この種の印刷機において大きな課題となっていた、ブランケット洗浄布の再使用の実現によるランニングコストの実質的な低減化を実現することができる。
【発明を実施するための最良の形態】
【００３４】
以下、本発明の実施形態を詳細に説明する。
【００３５】
実施形態１
本発明に係る巻取り再生装置を図１〜図７に示し、この巻取り再生装置は、具体的には、オフセット印刷において、オフセット印刷機のブランケット胴表面の洗浄に用いた使用済みのブランケット洗浄布Ｗを再使用可能なように巻き取るためのものであって、洗浄布繰出部１、洗浄布巻取部２、テンション付与部３および乾燥エア噴射部４を主要部として備えてなり、これら主要構成部１〜４は、装置本体５の支持ベース６上に装置されている。以下、各構成部について具体的に説明する。
【００３６】
Ａ．装置本体５：
装置本体５は、骨組み構造とされた装置架台７の天部に、上記支持ベース６が張設されてなる構造簡素な構成とされ、外周の大半が化粧材８により被覆形成されてなる。
【００３７】
装置架台７は、金属製の骨組部材９、９、…が直方体形状に枠組みされてなり、図示の実施形態においては、骨組部材９として剛性に富み比較的安価な材料であるアングル鋼材が使用されている。
【００３８】
また、支持ベース６は、主要構成部１〜４を相互の相対的位置を固定的に保持可能な単一の平板状金属プレートから形成されている。図示の実施形態の支持ベース６は、所定強度と平板性を永続的に保持し得る厚さをもった平板状厚肉鉄板からなり、この鉄板６が上記装置架台７の天部に張設状に固定されて、装置本体５の支持ベースを形成している。そして、この装置本体５の支持ベース６上に、上記洗浄布繰出部１、洗浄布巻取部２、テンション付与部３および乾燥エア噴射部４の主要部が高精度かつ堅牢な配置関係をもって装着支持されている。
【００３９】
上記化粧材８としては、耐食性に優れる金属板が好適に採用され、図示の実施形態においてはステンレス鋼板が使用されるとともに、必要に応じて表面に模様や彩色等が施されて意匠効果が付与される。
【００４０】
また、装置本体５の底部つまり装置架台７の底部の四隅部位には、移動用のキャスタ１７、１７、…が取り付けられるとともに、装置架台７の適所に、装置本体５の移動固定用のハンマーロック１８が取り付けられている。、
【００４１】
Ｂ．洗浄布繰出部１：
洗浄布繰出部１は、使用済みブランケット洗浄布Ｗを巻取り回収した巻取芯棒１０を、取外し可能に回転支持する洗浄布繰出手段として機能する部位で、図３および図４に示すように、上記巻取芯棒１０の両端を支持回転する一対の回転支持部１１、１２を備えてなり、これら両回転支持部１１、１２は、上記支持ベース６上面の長手方向両端部位（図３および図４において左右両端部位）にそれぞれ固定的に設けられている。
【００４２】
これら一対の回転支持部１１、１２は同一の基本構造を備え、具体的には図６に示すように、回転支軸（回転軸）１３が一対の軸受部１４、１４により回転可能に軸支されるとともに、その先端部に、上記巻取心棒１０の一端を嵌合支持する支持ソケット１５が設けられている。
【００４３】
上記回転支軸１３は、軸受部１４、１４の軸受（図示省略）により軸方向へ固定された状態で自由回転可能に軸支されている。
【００４４】
上記支持ソケット１５は、上記回転支軸１３と同軸状に設けられるとともに、図６（ｃ）に示すような嵌合部１６を備える。この嵌合部１６は、具体的には嵌合凹部の形態とされ、複数種類の巻取芯棒１０の端部形状に対応した凹部形状とされている。図示の実施形態の嵌合凹部１６は、現在市販されている巻取芯棒１０のいずれの端部形状にも適合可能な凹部形状とされている。つまり、現在市販されている巻取芯棒１０の端部には、図７（ａ）に示されるＩ字断面形状の嵌合凸部１０ａか、または図７（ｂ）に示される略正方形断面形状の嵌合凸部１０ｂのいずれかが設けられており、図示の実施形態における支持ソケット１５の嵌合凹部１６は、上記嵌合凸部１０ａが嵌合可能なＩ字断面形状の嵌合凹部１６ａと、上記嵌合凸部１０ｂが嵌合可能な略正方形断面形状の嵌合凹部１６ｂとからなる凹部形状とされている。
【００４５】
また、駆動側つまり図３および図４において右側の回転支持部１１の支持ソケット１５は、具体的には図示しないが、回転軸１３と一体回転するとともに、回転支軸１３に対して軸方向へ移動可能な構造とされ、内部に支持ソケット１５を常時弾発付勢する弾発スプリングが内蔵されている。そして、支持ソケット１５は、常態において図示のような突出状態にある一方、巻取芯棒１０の取付け時には上記弾発スプリングの弾発付勢力に抗して後方（図３および図４の矢印方向）へ退入移動するようにされている。
【００４６】
一方、従動側つまり図３および図４において左側の回転支持部１２の支持ソケット１５は、回転支軸１３の先端部に一体的に設けられている。
【００４７】
したがって、巻取芯棒１０を回転支持部１１、１２に取り付けるには、まず、巻取芯棒１０の一端の嵌合凸部１０ａまたは１０ｂを、従動側回転支持部１２の支持ソケット１５の嵌合凹部１６（嵌合凹部１６ａ＋嵌合凹部１６ｂ）に嵌合させ、次に、駆動側回転支持部１１の支持ソケット１５を後方へ弾発的に退入移動させながら、この支持ソケット１５の嵌合凹部１６（嵌合凹部１６ａ＋嵌合凹部１６ｂ）に、上記巻取芯棒１０の他端の嵌合凸部１０ａまたは１０ｂを嵌合させて、支持ソケット１５を弾性復帰させることで、巻取芯棒１０が回転支持部１１、１２に取外し可能に回転支持される。
【００４８】
また、洗浄布繰出部１の回転駆動源は、後述するように、洗浄布巻取部２の回転駆動源と共用の駆動モータ２０とされている。これに関連して、洗浄布繰出部１は上記巻取芯棒１０の回転速度を制御するブレーキ手段２１を備える。
【００４９】
ブレーキ手段２１は、図示の実施形態においては、駆動側回転支持部１１の回転支軸１３に設けられた摩擦ブレーキ機構の形態とされ、その具体的構造が図５に示されている。
【００５０】
この摩擦ブレーキ機構２１は、回転支軸１３に取付け固定された摩擦プーリ２２、装置本体５の固定側に接続された摩擦ベルト２３およびこの摩擦ベルト２３のテンション調節用のターンバックル２４を主要部として備えてなる。
【００５１】
上記摩擦プーリ２２は、回転支軸１３の軸受部１４、１４間部位に取付け固定されており、この摩擦プーリ２２の外周溝２２ａに、上記摩擦ベルト２３が相対的に摩擦摺動可能に巻き掛けられている。この摩擦ベルト２３は、具体的には円形状断面を有する弾性ゴム、エラストマー等の弾性材料製の丸ベルトからなり、支持ベース６の開口部６ａを介して垂直下方へ延びるとともに、その両端２３ａ、２３ｂが装置固定側である装置本体５の装置架台７の適所に接続されている。つまり、摩擦ベルト２３の一端部２３ａは、フック形状の接続ブラケット２５により装置架台７に接続固定されるとともに、他端部２３ｂは、上記ターンバックル２４を介して、フック形状の接続ブラケット２５により装置架台７に接続固定されている。
【００５２】
これにより、摩擦ベルト２３が上記摩擦プーリ２２に所定のテンションをもって摩擦摺動可能に巻き架けられて、上記回転支軸１３が摩擦ベルト２３と摩擦プーリ２２との摺動摩擦による摺動力に抗して制動回転されることになる。また、上記ターンバックル２４を回転操作することにより、摩擦ベルト２３のテンションは最適値に適宜調節され得る。
【００５３】
Ｃ．洗浄布巻取部２：
洗浄布巻取部２は、上記洗浄布繰出部１から繰出される上記ブランケット洗浄布Ｗを巻き取る巻取コア３０を、取外し可能に回転支持する洗浄布巻取手段として機能する部位で、巻取コア３０としては、使用前の上記ブランケット洗浄布Ｗが巻装されていた紙管が好適に使用されるが、同様な構造を有する他の管体を使用しても良い。巻取コア３０の端部構造は、図７（ａ）、（ｂ）に示す上記巻取芯棒１０の端部構造と同様とされている。
【００５４】
図示の実施形態の洗浄布巻取部２は、図３および図４に示すように、上記巻取コア３０の両端を支持回転する一対の回転支持部３１、３２を備えてなり、これら両回転支持部３１、３２は、上記支持ベース６上面の長手方向両端部位にそれぞれ固定的に設けられている。
【００５５】
これら一対の回転支持部３１、３２は同一の基本構造を備え、上記洗浄布繰出部１の回転支持部１１、１２と同様、具体的には図６に示すように、回転支軸（回転軸）３３が一対の軸受部３４、３４により回転可能に軸支されるとともに、その先端部に、上記巻取コア３０の一端を嵌合支持する支持ソケット３５が設けられている。
【００５６】
これら回転支持部３１、３２の構成部材３３、３４、３５の具体的構造は、上記洗浄布繰出部１の回転支持部１１、１２の構成部材１３、１４、１５とそれぞれ同一であり、よって巻取コア３０の上記回転支持部３１、３２に対する取付け取外し要領も、上述した巻取芯棒１０の場合とまったく同様である。
【００５７】
そして、このように洗浄布巻取部２に回転支持された巻取コア３０に対して、上記洗浄布繰出部１に回転支持された巻取り芯棒１０から繰り出されるブランケット洗浄布Ｗの先端部が巻き付け接続されるのであるが、この場合、洗浄布繰出部１の巻取り芯棒１０から繰り出されるブランケット洗浄布Ｗは、図２に示すように、その繰出し表面つまり使用済みの表面Ｗａを巻取り裏面となるようにして、上記洗浄布巻取部２の巻取コア３０外周に巻き取られるように巻き付け接続される。
【００５８】
このような巻き掛け方法とすることにより、巻取り芯棒１０から繰り出されるブランケット洗浄布Ｗが表裏逆転して巻取コア３０に巻き取られることになり、このように巻取コア３０にブランケット洗浄布Ｗが巻き取られてなる洗浄布ロール３０、Ｗを、図示しないオフセット印刷機に組み込まれた洗浄ユニットにそのまま装着することにより、その巻取り表面Ｗｂが新たな洗浄用表面として使用されることになる。
【００５９】
Ｄ．洗浄布繰出部１と洗浄布巻取部２の回転駆動構造：
前述したように、洗浄布巻取部２の回転駆動源は、洗浄布繰出部１の回転駆動源と共用の駆動モータ２０とされており、これら両部１、２の回転駆動構造は以下のように構成されている。
【００６０】
すなわち、回転駆動源である駆動モータ２０は、図２および図３に示すように、装置架台７の上下方向中間部位に水平に設けられており、その回転軸２０ａが動力伝達機構を介して、上記洗浄布繰出部１と洗浄布巻取部２に駆動連結されている。駆動モータ２０としては、ギヤードモータが用いられており、装置本体５の側面部に設置されたモータ操作盤４０により駆動制御される。モータ操作盤４０には、電源をＯＮ−ＯＦＦ操作する電源スイッチ４０ａと、駆動モータ２０の回転速度を連続的に制御するインバータ（図示省略）の回転式速度調節ダイヤル４０ｂとが設けられている。
【００６１】
上記動力伝達機構は、具体的には、図２〜図４に示すように、上記駆動モータ２０の回転軸２０ａに取付け固定されたタイミングプーリ４１ａ、上記洗浄布巻取部２の駆動側回転支持部３１の回転軸３３に取付け固定されたタイミングプーリ４１ｂおよびこれら両プーリ４１ａ、４１ｂに巻き掛けられたタイミングベルト４１ｃからなる動力伝達ベルト機構４１と、本巻取り再生装置の巻取り対象であって、上記洗浄布繰出部１に回転支持された巻取芯棒１０から上記洗浄布巻取部２に回転支持された巻取コア３０に巻き掛けられた使用済みのブランケット洗浄布Ｗと、上記洗浄布繰出部１の駆動側回転支持部１１の回転軸１３に設けられた前記摩擦ブレーキ機構２１とから構成されている。
【００６２】
そして、上記駆動モータ２０が回転駆動すると、上記動力伝達ベルト機構４１（４１ａ〜４１ｃ）を介して、上記洗浄布巻取部２の回転支軸３３、３３およびこれら回転支軸３３、３３に回転支持された巻取コア３０が巻き取り回転すると、この巻取コア３０に巻き取られるブランケット洗浄布Ｗの引張力により、上記洗浄布繰出部１の回転支軸１３、１３に回転支持された上記巻取芯棒１０を介して、これら回転支軸１３、１３が繰出し回転されることとなる。この場合、洗浄布繰出部１の駆動側の回転支軸１３に設けられた上記摩擦ブレーキ機構２１の制動作用により、巻取芯棒１０の慣性による回転速度の上昇が防止されて、巻取芯棒１０は、上記巻取コア３０の回転速度つまり駆動モータ２０の回転速度に対応した適性な回転速度を保ちつつ繰出し回転される。
【００６３】
Ｅ．テンション付与部３：
テンション付与部３は、洗浄布巻取部２に巻き取られる上記ブランケット洗浄布Ｗに、所定のテンションを付与するテンション付与手段として機能する部位で、具体的にはテンションローラ４５を備えてなる。
【００６４】
このテンションローラ４５は、具体的には、中実の円柱状金属棒から形成されており、上記洗浄布繰出部１と洗浄布巻取部２との間において、これら洗浄布繰出部１および洗浄布巻取部２に回転支持された巻取芯棒１０および巻取コア３０と平行に、かつ自由回転可能に回転支持されている。
【００６５】
図示の実施形態においては、一対の回転支持部４６、４７が、装置本体５の支持ベース６の中央部に形成された矩形状の開口６ａの長手方向両端部位（図３および図４において左右両端部位）に、それぞれ垂直起立状に設けられ、これら一対の回転支持部４６、４７の軸受部４６ａ、４７ａに、上記テンションローラ４５の両端軸部４５ａ、４５ｂがそれぞれ回転可能に軸支されている。
【００６６】
上記両回転支持部４６、４７の軸受部４６ａ、４７ａは、図２に示すように、回転支持部その上端から下部まで垂直方向へ直線状に延びる案内溝の形態とされ、これにより、上記テンションローラ４５は、その両端軸部４５ａ、４５ｂがこれら軸受部４６ａ、４７ａに上下方向へ摺動案内されて、昇降可能とされている。
【００６７】
そして、上記テンションローラ４５は、上記洗浄布繰出部１の巻取り芯棒１０から上記巻取コア３０の外周に巻き架けられたブランケット洗浄布Ｗの上面を自重により上側から押圧することになる。これにより、ブランケット洗浄布Ｗの巻取り動作時において、上記テンションローラ４５は、上記摩擦ブレーキ機構２１の制動作用との協働作用により、上記巻取芯棒１０から巻取コア３０に巻き取られるブランケット洗浄布Ｗに適度のテンションを与えつつ、ブランケット洗浄布Ｗの両端面が揃った状態での巻取コア３０への平坦で均一な巻き取りを可能とする。
【００６８】
これに関連して、具体的には図示していないが、テンションローラ４５の円筒外周面には螺旋溝が形成されており、ブランケット洗浄布Ｗの巻取り動作時において、上記螺旋溝の回転案内作用により、ブランケット洗浄布Ｗが、その幅方向外側へ引き伸ばされて平坦にされ、上記テンション付与効果との相乗効果により、ブランケット洗浄布Ｗに皺がよるのを有効に防止されるとともに、ブランケット洗浄布Ｗの両端面が揃った状態での巻取コア３０への平坦で均一な巻き取りがより確実に行われる。なお、テンションローラ４５の円筒外周面に形成される螺旋溝は、目的に応じて選択的に形成され、この螺旋溝の具体的な形状も、テンションローラ４５により回転案内されるブランケット洗浄布Ｗに対して、ブランケット洗浄布Ｗの幅方向外側への引伸ばし作用が有効に働くように、テンションローラ４５の外径寸法や円筒外周面の表面性状等を考慮して適宜設計される。
【００６９】
また、上記両回転支持部４６、４７の軸受部４６ａ、４７ａが上記のような案内溝の形態とされていることにより、上記テンションローラ４５の両端軸部４５ａ、４５ｂを軸受部４６ａ、４７ａの上端まで移動させることで、テンションローラ４５が両回転支持部６、４７から取外し可能とされている。
【００７０】
そして、後述する使用済みのブランケット洗浄布Ｗの装着時においては、このテンションローラ４５を上記両回転支持部４６、４７から一旦取り外すことにより、洗浄布繰出部１の巻取り芯棒１０から繰り出されるブランケット洗浄布Ｗを上記巻取コア３０外周に巻き付け接続する作業を容易に行うことができる。
【００７１】
Ｆ．乾燥エア噴射部（乾燥エア噴射手段）４：
乾燥エア噴射部４は、上記洗浄布繰出部１の巻取り芯棒１０から上記洗浄布巻取部２の巻取コア３０に巻き取られるブランケット洗浄布Ｗを乾燥処理する部位で、エアシャワーパイプ５０と空気源５１を主要部として構成されている。
【００７２】
エアシャワーパイプ５０は、具体的には、両端が閉塞された中空の円筒パイプから形成されており、上記洗浄布繰出部１と洗浄布巻取部２の間において、これら洗浄布繰出部１および洗浄布巻取部２に回転支持された巻取芯棒１０および巻取コア３０と平行となるように配置されている。
【００７３】
図示の実施形態においては、図２〜図４に示すように、上記洗浄布繰出部１とテンション付与部３の間において、上記支持ベース６の下面に取り付けられるとともに、支持ベース６の開口６ａから上方へ臨んで水平状に設けられ、巻取芯棒１０とテンションローラ４５の間におけるブランケット洗浄布Ｗの下側面、つまり未使用側表面Ｗｂに向けて乾燥用エアが下方から噴射される構成とされている。
【００７４】
この目的のため、上記エアシャワーパイプ５０の上側には、図４に示すように、複数の噴射開口５０ａ、５０ａ、…が設けられており、これら噴射開口５０ａ、５０ａ、…は、ブランケット洗浄布Ｗの下側面Ｗｂの全幅に乾燥用エアを噴射供給する噴射スリットの形態とされている。エアシャワーパイプ５０は、エア配管５２を介して上記空気源５１に連通接続されている。
【００７５】
この空気源５１としては、具体的にはエアブロアが使用され、図２および図３に示すように、装置架台７の底部に水平に設けられており、上記エア配管５２を介して上記エアシャワーパイプ５０に乾燥用エアを供給する構成とされ、装置本体５の側面部に設置されたブロア用電源スイッチ５３によりＯＮ−ＯＦＦ操作される。
【００７６】
そして、ブランケット洗浄布Ｗの巻取り動作時において、上記エアブロア５１の駆動により、エアシャワーパイプ５０の噴射開口５０ａ、５０ａ、…から、上記巻取芯棒１０から巻取コア３０に巻き取られるブランケット洗浄布Ｗの下側面Ｗｂに向けて、乾燥用エアが噴射供給されて、洗浄液等により濡れた状態にあるブランケット洗浄布Ｗが乾燥処理されながら巻取コア３０に巻き取られる。
【００７７】
なお、これに関連して、上記ブランケット洗浄布Ｗの通過範囲の下方には、ブランケット洗浄布Ｗから落下するインク等の堆積物や洗浄液を受ける受け皿５４が設けられている。この受け皿５４は、図２および図３に示すように、装置架台７の上下方向中間部位に水平にかつ装置本体５の側方へ引出し可能に設けられている。
【００７８】
しかして、以上のように構成された巻取り再生装置による使用済みのブランケット洗浄布Ｗの巻取り作業は以下のように行われる。
【００７９】
（１）前述した要領で、洗浄布巻取部２の両回転支軸３３、３３の支持ソケット３５、３５に、未使用の巻取コア３０（例えば、巻取り対象のブランケット洗浄布Ｗが使用前に巻装されていた紙管が好適に使用される。）の両端の嵌合凸部１０ａまたは１０ｂをそれぞれ嵌合させて取り付けるとともに、洗浄布繰出部１の両回転支軸１３、１３の支持ソケット１５、１５に、使用済みのブランケット洗浄布Ｗが巻き取られてなる巻取芯棒１０の両端の嵌合凸部１０ａまたは１０ｂをそれぞれ嵌合させて取り付ける。
【００８０】
（２）テンション付与部３のテンションローラ４５を、前述した要領で両回転支持部４６、４７から一旦取り外し、この状態で、上記洗浄布繰出部１の巻取り芯棒１０に巻き取られている使用済みのブランケット洗浄布Ｗの先端部分を、上記洗浄布巻取部２の巻取コア３０の外周に２〜３回ほど巻き付けて接続する。この場合、洗浄布繰出部１の巻取り芯棒１０から繰り出されるブランケット洗浄布Ｗは、図２に示すように、その繰出し表面つまり使用済みの表面Ｗａを巻取り裏面となるようにして、上記洗浄布巻取部２の巻取コア３０外周に巻き付けるようにすることは、前述したとおりである。
【００８１】
（３）取外しておいた上記テンションローラ４５を、再びテンション付与部３の両回転支持部４６、４７に取り付ける。これにより、テンションローラ４５は、自重により軸受部４６ａ、４７ａに沿って下降しながら、上記巻取り芯棒１０から上記巻取コア３０の外周に巻き架けられたブランケット洗浄布Ｗの上面を上側から押圧していき、このテンションローラ４５の自重による押圧力と上記ブランケット洗浄布Ｗの張力による支持力とが釣り合ったところで、テンションローラ４５の下降が停止する。
【００８２】
（４）ブロア用電源スイッチ５３およびモータ操作盤４０の電源スイッチ４０ａをそれぞれＯＮに切替え操作して、エアブロア５１と駆動モータ２０を駆動させる。
【００８３】
これにより、巻取コア３０が回転して、洗浄布繰出部１の巻取芯棒１０から繰出されるブランケット洗浄布Ｗが上記巻取コア３０に巻き取られ始めるとともに、エアシャワーパイプ５０の噴射開口５０ａ、５０ａ、…から、この巻き取られるブランケット洗浄布Ｗの下側面Ｗｂに乾燥用エアが噴射供給されて乾燥処理が施される。
【００８４】
この際に、作業者は、上記巻取コア３０に巻き取られるブランケット洗浄布Ｗに皺が生じないように、モータ操作盤４０の速度調節ダイヤル４０ｂを適宜回転操作して、巻取コア３０による巻取り速度を調整する。
【００８５】
（５）洗浄布繰出部１の巻取芯棒１０から繰出されるブランケット洗浄布Ｗが洗浄布巻取部２の巻取コア３０にすべて巻き取られて、巻取り作業が完了したら、ブロア用電源スイッチ５３およびモータ操作盤４０の電源スイッチ４０ａをそれぞれＯＦＦに切替え操作して、エアブロア５１と駆動モータ２０を駆動停止させる。
【００８６】
ブランケット洗浄布Ｗが表裏逆転して巻取コア３０に巻き取られてなる洗浄布ロール３０、Ｗと、ブランケット洗浄布Ｗのない巻取芯棒１０を、上記（１）と逆の作業要領で、上記洗浄布巻取部２と洗浄布繰出部１からそれぞれ取り外して、図外のオフセット印刷機の洗浄ユニットに装着して再使用に供する。この場合、前述したように、ブランケット洗浄布Ｗが巻取コア３０に表裏逆転して巻き取られていることから、洗浄布ロール３０、Ｗを上記洗浄ユニットにそのまま装着することで、その巻取り表面Ｗｂが新たな洗浄用表面として使用されることになる。
【００８７】
以上のように、本実施形態の洗浄布巻取再生装置によれば、材料コストひいては商品コストの高いブランケット洗浄布Ｗについて、表裏両面の少なくとも２回の使用が可能となり、ランニングコストの低減化を有効に図ることができる。
【００８８】
また、上記テンション付与部３は、支持ベース６上に自由回転可能に回転支持されるテンションローラ４５を備えて、駆動系の上記洗浄布繰出部１および洗浄布巻取部２と独立した非駆動系とされ、しかも、上記洗浄布繰出部１および洗浄布巻取部２の回転駆動源も共用の単一駆動モータ２０とされた単一駆動源とされていることにより、装置構成が小型かつ簡素で、装置コストの大幅な低減化を図ることができる。
【００８９】
そして、これらランニングコストの低減効果と装置コストの大幅な低減効果との相乗効果により、従来この種の印刷機において大きな課題となっていた、ブランケット洗浄布Ｗの再使用の実現によるランニングコストの実質的な低減化を実現することができる。
【００９０】
実施形態２
本実施形態は図８〜図１２に示されており、実施形態１の洗浄布巻取再生装置の主要部構成の一部が改変されたものであり、具体的には、種々の幅寸法のブランケット洗浄布Ｗの巻取り再生に適用可能とされて、より汎用性の高い構成とされている。
【００９１】
すなわち、本実施形態の洗浄布巻取再生装置においては、洗浄布繰出部１および洗浄布巻取部２が、処理すべきブランケット洗浄布Ｗの幅寸法に対応して、巻取芯棒１０および巻取コア３０の回転支持幅Ｌを調節可能な支持幅調節部６０をそれぞれ備える。以下、詳細に説明する。
【００９２】
洗浄布繰出部１は、図１０および図１１に示すように、巻取芯棒１０の両端を支持回転する一対の回転支持部６１、６２を備えてなり、これら両回転支持部６１、６２が装置本体５の支持ベース６上面の長手方向両端部位（図１０および図１１において左右両端部位）に設けられている点は実施形態１と同様であるが、本実施形態においては、駆動側回転支持部６１が上記支持ベース６に固定的に設けられる一方、従動側回転支持部６２が上記支持幅調節部６０を介して支持ベース６上を長手方向（図１０および図１１における矢符方向）へ移動可能とされている。
【００９３】
支持幅調節部６０は、具体的には、ＬＭガイド６３と固定装置６４を主要部として構成されている。
【００９４】
ＬＭガイド６３は、ＬＭレール６３ａが支持ベース６上面において上記長手方向へ直線状に延びて設けられるとともに、このＬＭレール６３ａを走行移動可能なＬＭブロック６３ｂ上に、上記従動側回転支持部６２が取付け固定されている。また、上記固定装置６４は、上記ＬＭブロック６３ｂに一体的に取り付けられたリニアクランプの形態とされ、クランプダイアル６４ａを締付け操作することにより、上記ＬＭレール６３ａとＬＭブロック６３ｂがクランプ固定するようにされている。
【００９５】
また、上記ＬＭガイド６３の前後両端近傍の支持ベース６上には、ストッパ６５ａ、６５ｂが設けられており、これらストッパ６５ａ、６５ｂは、従動側回転支持部６２の基台６６の前後面にそれぞれ係合するように配置されて、従動側回転支持部６２の前進端と後退端、つまり従動側回転支持部６２の移動範囲が規定されている。これにより、両か移転支持部６１、６２の支持ソケット１５、１５間には、支持される巻取芯棒１０の長さは、最小Ｌmin〜最大Ｌmaxの長さの巻取芯棒１０が支持可能とされている。図示の実施形態において、現在市販されているブランケット洗浄布Ｗのすべての幅寸法（最小幅６９０ｍｍ〜最大幅１１８０ｍｍ）に対応可能とされている。
【００９６】
また、このように従動側回転支持部６２が移動可能とされていることに関連して、駆動側回転支持部６１における支持ソケット１５は、回転支軸１３の先端部に一体的に設けられている。
【００９７】
したがって、巻取芯棒１０を回転支持部６１、６２に取り付けるには、まず、巻取芯棒１０の一端の嵌合凸部１０ａまたは１０ｂを、駆動側回転支持部６１の支持ソケット１５の嵌合凹部１６（嵌合凹部１６ａ＋嵌合凹部１６ｂ）に嵌合させ、次に、従動側回転支持部６２を進退移動させながら、その支持ソケット１５の嵌合凹部１６（嵌合凹部１６ａ＋嵌合凹部１６ｂ）に、上記巻取芯棒１０の他端の嵌合凸部１０ａまたは１０ｂを嵌合させ、この状態で、上記固定装置６４のクランプダイアル６４ａを締付け操作して、上記従動側回転支持部６２を固定させることで、巻取芯棒１０が回転支持部６１、６２に取外し可能に回転支持される。
【００９８】
同様に、洗浄布巻取部２は、図１０および図１１に示すように、巻取コア３０の両端を支持回転する一対の回転支持部７１、７２を備えてなり、駆動側回転支持部７１が上記支持ベース６に固定的に設けられる一方、従動側回転支持部７２が上記支持幅調節部６０を介して支持ベース６上を長手方向（図１０および図１１における矢符方向）へ移動可能とされている。
【００９９】
これら回転支持部７１、７２の具体的構造は、上記洗浄布繰出部１の回転支持部６１、６２と同一であり、よって巻取コア３０の上記回転支持部７１、７２に対する取付け取外し要領も、上述した巻取芯棒１０の場合とまったく同様である。
【０１００】
また、上記洗浄布繰出部１および洗浄布巻取部２が、処理すべきブランケット洗浄布Ｗの幅寸法に対応して、巻取芯棒１０および巻取コア３０の回転支持幅Ｌを調節可能な構成とされていることに関連して、テンション付与部３のテンションローラ４５は、実施形態１と異なり、上下方向へ固定的な配置構成とされている。
【０１０１】
具体的には、上記テンションローラ４５は、洗浄布繰出部１と洗浄布巻取部２の間において、これら両部１、２に回転支持される巻取り芯棒１０および巻取コア３０の軸線を含む平面に対して上下方向へ変位して配置されるとともに、これら巻取り芯棒１０および巻取コア３０と平行にかつ自由回転可能に支持されてなる。
【０１０２】
図示の実施形態のテンションローラ４５は、図９に示すように、洗浄布繰出部１と洗浄布巻取部２に回転支持される巻取り芯棒１０および巻取コア３０の軸線を含む平面（図面の一点鎖線参照）に対して下方向へ変位して配置されている。
【０１０３】
具体的には、一対の回転支持部７６、７７が、装置本体５の支持ベース６の開口６ａの長手方向両端部位（図１０および図１１において左右両端部位）にそれぞれ設けられ、これら一対の回転支持部７６、７７に、上記テンションローラ４５の両端軸部４５ａ、４５ｂがそれぞれ軸受７６ａ、７７ａにより回転可能に軸支されている。
【０１０４】
そして、使用済みのブランケット洗浄布Ｗの装着時において、洗浄布繰出部１の巻取り芯棒１０から繰り出されるブランケット洗浄布Ｗは、上記テンションローラ４５の下側部分を通して、上記巻取コア３０外周に巻き付け接続される。これにより、上記洗浄布繰出部１の巻取り芯棒１０から上記巻取コア３０の外周に巻き架けられたブランケット洗浄布Ｗは、上記テンションローラ４５により、その上面を上側から押圧される状態となり、ブランケット洗浄布Ｗの巻取り動作時において、摩擦ブレーキ機構２１の制動作用との協働作用により、適度のテンションを与えられつつ、ブランケット洗浄布Ｗの両端面が揃った状態での巻取コア３０への平坦で均一な巻き取りが確保される。
【０１０５】
しかして、以上のように構成された洗浄布巻取再生装置においては、洗浄布繰出部１および洗浄布巻取部２が、巻取芯棒１０および巻取コア３０の回転支持幅Ｌを調節可能な支持幅調節部６０をそれぞれ備えているから、これら支持幅調節部６０を、処理すべきブランケット洗浄布Ｗの幅寸法に対応して適宜操作することにより、洗浄布繰出部１および洗浄布巻取部２に種々の幅寸法のブランケット洗浄布Ｗをセットして、その巻取り作業を行うことができる。
その他の構成および作用は実施形態１と同様である。
【０１０６】
なお、上述した実施形態１および２はあくまでも本発明の好適な実施態様を示すものであって、本発明はこれら実施形態１および２に限定されることなく、その範囲内で種々の設計変更が可能である。
【０１０７】
例えば、上記洗浄布繰出部１と洗浄布巻取部２の間に、洗浄布繰出部１の巻取り芯棒１０から洗浄布巻取部２の巻取コア３０に巻き取られるブランケット洗浄布Ｗの少なくとも使用済みの表面Ｗａ上の堆積物を掻き落とすブラシ手段が設けられても良い。
【０１０８】
この場合、洗浄布繰出部１の巻取り芯棒１０から繰り出されるブランケット洗浄布Ｗは、使用済みの表面Ｗａが下側にくるようにして、このブランケット洗浄布Ｗの下側に上記ブラシ手段が設けられるのが望ましい。
【０１０９】
このブラシ手段は、具体的には図示しないが、好適には、ブランケット洗浄布Ｗの使用済み表面Ｗａ上に回転接触する回転ブラシの形態とされるとともに、この回転ブラシを回転駆動する回転駆動源として、上記洗浄布繰出部１および洗浄布巻取部２を回転駆動する駆動モータ２０が共用される構造とされるのが望ましい。
【０１１０】
このようにブラシ手段が設けられることにより、乾燥エア噴射部４との協働作用で、ブランケット洗浄布Ｗの使用済みの表面Ｗａ上の堆積物がより確実に掻き落とされる結果、再使用回数の増加が期待できる。
【図面の簡単な説明】
【０１１１】
【図１】本発明の実施形態１である印刷機用ブランケット洗浄布の巻取り再生装置を示す斜視図である。
【図２】同じく同巻取り再生装置を一部切開して示す側面図である。
【図３】同じく同巻取り再生装置を一部切開して示す正面図である。
【図４】同じく同巻取り再生装置を示す平面図である。
【図５】同巻取り再生装置の摩擦ブレーキ機構を示す正面図である。
【図６】同巻取り再生装置の回転支持部を示し、図６（ａ）は側面図、図６（ｂ）は平面図、図６（ｃ）は正面図である。
【図７】同巻取り再生装置の回転支持部に支持される巻取芯棒および巻取コアの端部形状を示す斜視図である。
【図８】本発明の実施形態２である印刷機用ブランケット洗浄布の巻取り再生装置を示す斜視図である。
【図９】同じく同巻取り再生装置を一部切開して示す側面図である。
【図１０】同じく同巻取り再生装置を一部切開して示す正面図である。
【図１１】同じく同巻取り再生装置を示す平面図である。
【図１２】同巻取り再生装置の回転支持部を示し、図１２（ａ）は側面図、図１２（ｂ）は平面図、図１２（ｃ）は正面図である。
【図１３】従来の印刷機用ブランケット洗浄布の巻取り再生装置の構成を示し、図１３（ａ）は側面図、図１３（ｂ）は図１３（ａ）の一点鎖線円内の構成を拡大して示す側面図である。
【符号の説明】
【０１１２】
Ｗ                        使用済みのブランケット洗浄布
Ｗａ                      ブランケット洗浄布の使用済みの表面
Ｌ                        巻取芯棒、巻取コアの回転支持幅
１                        洗浄布繰出部（洗浄布繰出手段）
２                        洗浄布巻取部（洗浄布巻取手段）
３                        テンション付与部（テンション付与手段）
４                        乾燥エア噴射部（乾燥エア噴射手段）
５                        装置本体
６                        支持ベース（ベース部材）
７                        装置架台
９                        骨組部材
１０                      巻取芯棒
１１、１２                回転支持部
１３                      回転支軸（回転軸）
１４                      軸受部
１５                      支持ソケット
１６                      嵌合凹部（嵌合部）
２０                      駆動モータ
２１                      摩擦ブレーキ機構（ブレーキ手段）
２２                      摩擦プーリ
２３                      摩擦ベルト
２４                      ターンバックル
３０                      巻取コア
３１、３２                回転支持部
３３                      回転支軸（回転軸）
３４                      軸受部
３５                      支持ソケット
４１                      動力伝達ベルト機構
４１、Ｗ、２１            動力伝達機構
４５                      テンションローラ
４６、４７                回転支持部
４６ａ、４７ａ            軸受部
５０                      エアシャワーパイプ
５０ａ                    噴射開口
５１                      エアブロア（空気源）
５２                      エア配管
６０                      支持幅調節部（支持幅調節手段）
６１、６２                回転支持部
６３                      ＬＭガイド
６４                      固定装置
７１、７２                回転支持部
７６、７７                回転支持部
【図１】
2007301809.tif 000003
【図２】
2007301809.tif 000004
【図３】
2007301809.tif 000005
【図４】
2007301809.tif 000006
【図５】
2007301809.tif 000007
【図６】
2007301809.tif 000008
【図７】
2007301809.tif 000009
【図８】
2007301809.tif 000010
【図９】
2007301809.tif 000011
【図１０】
2007301809.tif 000012
【図１１】
2007301809.tif 000013
【図１２】
2007301809.tif 000014
【図１３】
2007301809.tif 000015